(57)【要約】【課題】建築物内部に間仕切り壁を設置する際に、より小さな力でスペーサをスタッドに取り付けることを可能とし、当該取り付け作業を手の力で行うことを容易かつ確実とする工具を提供する。【解決手段】本発明の一実施形態に係る壁下地取り付け工具１は、断面略コの字状の間仕切り用壁下地材であるスタッド９に、上記スタッド９の断面形状の変化を防止するスペーサ８を取り付ける壁下地取り付け工具であって、取っ手３と、スペーサ８を上記スタッド９に対して押圧して嵌入する押圧部４と、押圧部４に対して取っ手３の反対側に位置し、スペーサの端部領域に係合可能な係合部５を備える。【選択図】図１
2011089263.tif 000002
【特許請求の範囲】
【請求項１】
断面略コの字状の間仕切り用壁下地材であるスタッドに、上記スタッドの断面形状の変化を防止するスペーサを取り付ける壁下地取り付け工具であって、
取っ手と、
上記スペーサを上記スタッドに対して押圧して嵌入する押圧部と、
上記押圧部に対して上記取っ手の反対側に位置し、上記スペーサの端部領域に係合可能な係合部とを備えることを特徴とする、壁下地取り付け工具。
【請求項２】
上記押圧部には、上記押圧部に上記スペーサを固定するための固定手段が設けられていることを特徴とする請求項１に記載の壁下地取り付け工具。
【請求項３】
上記固定手段は、上記押圧部において上記スペーサを押圧する面である押圧面に埋設された磁石であることを特徴とする請求項２に記載の壁下地取り付け工具。
【請求項４】
上記固定手段は、上記押圧部において上記スペーサを押圧する面である押圧面上に形成され、上記スペーサに設けられた穴に嵌合する、１または複数の突起部であることを特徴とする請求項２に記載の壁下地取り付け工具。
【請求項５】
上記係合部には、上記スペーサの端部領域に係合する溝が形成されていることを特徴とする請求項１に記載の壁下地取り付け工具。
【請求項６】
上記取っ手および上記押圧部は、上記取っ手および上記押圧部の間で上記スペーサを押圧する方向とは逆方向に屈曲した一本の棒状体上に設けられていることを特徴とする請求項１〜５のいずれかに記載の壁下地取り付け工具。
【請求項７】
請求項４に記載の壁下地取り付け工具によってスタッドに取り付けられることを特徴とするスペーサであって、上記壁下地取り付け工具が有する突起部に対応した位置に、穴部が形成されることを特徴としたスペーサ。
【発明の詳細な説明】
【技術分野】
【０００１】
本発明は、建築物内部に間仕切り壁を設置する際に、スペーサをスタッドに取り付ける壁下地取り付け工具に関する。
【背景技術】
【０００２】
建築物内部に間仕切り壁を設置する場合、まず、ＪＩＳにより非特許文献１のように定められたランナ、スタッドおよびスペーサにより構成された鋼製下地材を設置し、該鋼製下地材を、壁面となる２枚の石膏などのボードによってはさむ方法が用いられている。ここで、上記スペーサとは、上記スタッドの略コの字状の断面形状がたわみによって変化することを抑制し、剛性を高めるために上記スタッドに嵌めこまれるものであるが、当該はめ込み作業は、上記スペーサを手で直接上記スタッドに押し込むことによって行われる。
【先行技術文献】
【非特許文献】
【０００３】
【非特許文献１】ＪＩＳ  Ａ  ６５１７-２００２  建築用鋼製下地材（壁・天井）
【発明の概要】
【発明が解決しようとする課題】
【０００４】
しかし、上記スペーサを上記スタッドに嵌め込む工程は、手で行うにはきついほどの強い力が必要であるため、体重を掛けてスペーサをスタッドに押し込む等の大きな労力が施工者に強いられることとなっていた。また、荷重不足のために、嵌めこみが不完全となる場合もあった。そして、ややもすると、スタッドを地面に置き、足を使って踏みつけるような状況もあった。
【０００５】
本発明は、上記の課題を解決するためになされたもので、その目的は、手の力によってスペーサをスタッドに取り付けることを容易かつ確実とする壁下地取り付け工具を提供することにある。
【課題を解決するための手段】
【０００６】
本発明に係る壁下地取り付け工具は、上記の課題を解決するために、断面略コの字状の間仕切り用壁下地材であるスタッドに、上記スタッドの断面形状の変化を防止するスペーサを取り付ける壁下地取り付け工具であって、取っ手と、上記スペーサを上記スタッドに対して押圧して嵌入する押圧部と、上記押圧部に対して上記取っ手の反対側に位置し、上記スペーサの端部領域に係合可能な係合部とを備えることを特徴としている。
【０００７】
上記スペーサを上記スタッドの断面開口部に取り付ける作業には大きな力が必要であり、手作業によってスペーサをスタッドに取り付ける作業には不便が伴った。
【０００８】
これに対して、上記構成によれば、上記取っ手、上記押圧部および上記係合部は、それぞれ第二の梃子の力点、作用点および支点として働く。第二の梃子とは、力点、作用点および支点がこの順番で配置される梃子のことであり、作用点には力点に加えられた力より大きな力が発生する。それゆえ、上記取っ手に加えた力よりも大きな力が上記押圧部から上記スペーサに加えられる。このため、より小さな力でも上記スペーサを上記スタッドに取り付ける作業を行うことが可能となるので、手で上記作業を行うことが容易かつ確実となる。
【０００９】
また、上記押圧部には、上記押圧部に上記スペーサを固定するための固定手段が設けられていることが好ましい。
【００１０】
上記構成によれば、上記スペーサは、上記押圧部に設けられた上記固定手段により、作業中に上記スペーサが上記押圧部から外れたり、上記押圧部上で上記スペーサの位置がずれたりしなくなるので、作業をスムーズに行うことが可能となる。
【００１１】
また、上記固定手段は、上記押圧部において上記スペーサを押圧する面である押圧面に埋設された磁石であることが好ましい。
【００１２】
上記構成によれば、上記磁石と上記スペーサの間に働く磁力によって、上記スペーサは、上記押圧面上に保持されるので、作業をよりスムーズに行うことが可能となる。
【００１３】
また、上記固定手段は、上記押圧部において上記スペーサを押圧する面である押圧面上に形成され、上記スペーサに設けられた穴に嵌合する、１または複数の突起部であることが好ましい。
【００１４】
上記構成によれば、上記スペーサは、上記押圧面上に形成された１または複数の突起部によって、上記押圧面上の少なくとも一点で固定される。それゆえ、上記スペーサは、上記押圧面上でずれにくくなるので、作業をよりスムーズに行うことが可能となる。
【００１５】
また、上記係合部には、上記スペーサの端部領域に係合する溝が形成されていることが好ましい。
【００１６】
上記スペーサを取り付ける際、梃子の支点として働く上記係合部は、上記押圧部が上記スペーサに対して加える力とは逆方向の力を上記スペーサに加えなければならない。上記構成によれば、上記溝を形成する面のうち、上記押圧面と略対向する面が上記の方向の力をスペーサに加えることが可能であり、また、溝は容易に形成可能であるので、梃子の支点としての機能を備えた係合部を容易に形成することが可能となる。
【００１７】
また、上記取っ手および上記押圧部は、上記取っ手および上記押圧部の間で上記スペーサを押圧する方向とは逆方向に屈曲した一本の棒状体上に設けられていることが好ましい。
【００１８】
上記構成によれば、上記取っ手および上記押圧部が、上記取っ手および上記押圧部の間で上記スペーサを押圧する方向とは逆方向に屈曲した一本の棒状体上に設けられているため、上記取っ手をスタッドに向けて押し下げる際、スタッドと取っ手との間の隙間が大きくなり、取っ手を持つ手がスタッドに当たりにくくなるため、作業を行いやすくなる。
【００１９】
本発明にかかるスペーサは、上記壁下地取り付け工具によってスタッドに取り付けられることを特徴とするスペーサであって、上記壁下地取り付け工具が有する突起部に対応した位置に、穴部が形成されることを特徴としている。
【００２０】
上記構成によれば、上記スペーサは、上記押圧面上の少なくとも一点で固定され、押圧面上でずれにくくなるので、作業をよりスムーズに行うことが可能となる。
【発明の効果】
【００２１】
本発明に係る壁下地取り付け工具は、以上のように、断面略コの字状の間仕切り用壁下地材であるスタッドに、上記スタッドの断面形状の変化を防止するスペーサを取り付ける壁下地取り付け工具であって、取っ手と、上記スペーサを上記スタッドに対して押圧して嵌入する押圧部と、上記押圧部に対して上記取っ手の反対側に位置し、上記スペーサの端部領域に係合可能な係合部を備える構成である。
【００２２】
それゆえ、上記取っ手、上記押圧部および上記係合部は、それぞれ梃子の力点、作用点および支点として働き、梃子の原理によって、上記取っ手に加えた力よりも大きな力が上記押圧部から上記スペーサに加えられる。よって、より小さな力でも上記スペーサを上記スタッドに取り付ける作業を行うことが可能となるので、手で上記作業を行うことを容易かつ確実とすることができるという効果を奏する。
【図面の簡単な説明】
【００２３】
【図１】本発明の一実施形態に係る下地取り付け工具の構成を示す斜視図である。
【図２】本発明の一実施形態に係るスペーサの構成を示す斜視図である。
【図３】一般的に用いられる間仕切り用壁の下地の構成を示す斜視図である。
【図４】本実施形態に係るスタッドの構成を示す斜視図である。
【図５】壁下地取り付け工具にスペーサを装着した状態を示す斜視図である。
【図６】装着した壁下地取り付け工具およびスペーサをスタッドの内部に挿し入れた状態を示す斜視図である。
【図７】（ａ）は、リップ部に切欠き部がかみ合わされた状態を示す斜視図であり、（ｂ）は、その際の挿入部とリップ部の位置関係を示す図であり、（ｃ）は、挿入部がスタッド９の断面内部に挿入される際の両者の位置関係を示す図である。
【図８】（ａ）はスペーサがスタッドに取り付けられられた状態を示す斜視図であり、（ｂ）はスペーサがスタッドに取り付けられられた状態における、挿入部とリップ部の位置関係を示す図である。
【図９】本発明の別の形態に係る壁下地取り付け工具の主要部を示す上面図である。
【図１０】本発明の別の形態に係るスペーサの構成を示す上面図である。
【図１１】本発明の別の形態に係る壁下地取り付け工具の主要部を示す上面図である。
【図１２】本発明の別の形態に係るスペーサの構成を示す上面図である。
【発明を実施するための形態】
【００２４】
〔実施の形態１〕
本発明の実施の一形態について図１〜図８に基づいて説明すれば、以下のとおりである。
【００２５】
（壁下地取り付け工具１の構成）
まず、壁下地取り付け工具１の構成について、図１を用いて説明する。図１は、本発明の一実施形態に係る壁下地取り付け工具１の構成を示す斜視図である。同図に示すように、壁下地取り付け工具１は、シャフト（棒状体）２、取っ手３、押圧部４、係合部５、磁石（固定手段）６、突起部（固定手段）７を備えている。
【００２６】
シャフト２は、中央付近にて取っ手３および押圧部４の間でスペーサ８を押圧する方向とは逆方向に約１５°屈曲した「くの字」形状のステンレス製の棒状体であり、一方の端部に取っ手３を備え、他方の端部と上記屈曲箇所との中点付近には押圧部４を備えている。
【００２７】
取っ手３はゴム製で、シャフト２よりも太く、片方の端部が半球状の、略円柱形状をしている。そして、半球状とはなっていない端部底面の中央に設けられた穴にシャフト２が挿入されている。換言すれば、取っ手３はシャフト２上に設けられている。なお、取っ手３は上述のようなものである必要はなく、例えばプラスチック製であってもよいし、シャフトの端部付近において、滑り止めの表面処理を施し、該被表面処理部分を取っ手３としてもよい。
【００２８】
押圧部４は正方形の面と長方形の面からなる直方体形状のアルミニウム合金製のブロックであり、対面する２つの長方形面のそれぞれ略中央をシャフト２が貫通している。換言すれば、押圧部４はシャフト２上に設けられている。そして、残りの長方形面のうち、シャフト２が屈曲した取っ手３の方向とは反対側の面である押圧面４ａと、係合部５とを有し、前記押圧面４ａ上には、磁石６および突起部７が設けられている。
【００２９】
係合部５は、押圧部４に対して上記取っ手３の反対側の押圧面４ａ端部から、押圧面４ａの上方に延長して設けられており、後述するスペーサ８の被係合部（端部領域）８４に係合可能な溝５ａを設けている。
【００３０】
磁石６は、フェライト磁石であり、亜鉛めっき鋼製のスペーサ８を磁力によって押圧面４ａ上に保持する。押圧面４ａの中央の領域には凹部が形成されており、磁石６は当該凹部６ａに埋設されている。磁石６は、永久磁石であってスペーサ８を保持できる磁束を持つものであればフェライト磁石には限られない。例えば、ネオジム磁石でも代用が可能である。
【００３１】
突起部７は、押圧面４ａ上の上記凹部６ａの左右両側の２箇所に設けられており、後述するスペーサ８に設けられた２つの穴８１ａにそれぞれ嵌合することで、スペーサ８の、押圧面４ａ上での位置のずれを防止する。
【００３２】
（スペーサ８およびスタッド９の構成）
次に、スペーサ８の構成について、図２を用いて説明する。
【００３３】
図２は、本発明の一実施形態に係るスペーサ８の構成を示す斜視図である。同図に示すように、スペーサ８は、板金によって構成されており、被押圧部８１と、挿入部８３と、被係合部８４とを備える。被押圧部８１上には２つの穴部８１ａが形成されており、被係合部８４は切欠き部８２ａを有し、挿入部８３は切欠き部８２ｂを有している。スペーサ８は亜鉛めっき鋼製であるが、磁性体であれば何で作られていてもよく、例えばステンレス鋼で作られていてもよい。
【００３４】
被押圧部８１は、後述するスタッド９に取り付けられる際、押圧部４によって押圧される部位であり、被押圧部８１は、スタッド９に取り付けられると、スタッド９の長方形断面の一辺としてスタッド９の剛性を高める働きをする。上記被押圧部８１の働きにより、スペーサ８は、上記スタッドの断面形状の変化を防止する。
【００３５】
穴部８１ａは、被押圧部８１上の２つの突起部７にそれぞれ対応する２箇所に設けられており、上記突起部７が２つの穴部８１ａにそれぞれ嵌合することで、スペーサ８の押圧面４ａ上での位置のずれを防止する。ただし、突起部７および穴部８１ａの個数は２つでなくともよく、穴部８１ａを設けた結果、スペーサ８が必要な強度を保つことが出来る限り何個設けられていてもよい。
【００３６】
切欠き部８２ａおよび８２ｂは、後述するリップ部９１がちょうどはまり込む形状をしており、計４箇所の切欠き部８２ａおよび８２ｂ全てにリップ部９１がはまり込むことで、スタッド９への、スペーサ８の取り付けは完了する。
【００３７】
挿入部８３は、左右両側が緩やかなカーブを描いており、被押圧部８１から離れる方向に向かって幅が狭くなるテーパ状の形状をしている。
【００３８】
被係合部８４は、穴部８１ａとの位置関係が、溝５ａと突起部７との位置関係が対応する位置に設けられている。よって、後述のように突起部７が穴部８１ａに嵌合すると、被係合部８４は係合部５に係合される。
【００３９】
次に、スペーサ８およびスタッド９を用いて構成される間仕切り用壁の下地について図３を用いて説明する。
【００４０】
図３は一般的に用いられる間仕切り用壁の下地の構成を示す斜視図である。同図に示すように、上記構造物は、スペーサ８、スタッド９およびランナ１０から構成され、天井および床に一本ずつ並行に設けられたランナ１０の間にスタッド９が鉛直かつ４００ｍｍ間隔で設けられている。そして、各スタッド９には、スペーサ８が６００ｍｍ間隔で取り付けられる。
【００４１】
次にスタッド９の構成について、図４を用いて説明する。
【００４２】
図４は、本実施形態に係るスタッド９の構成を示す斜視図である。スタッド９は、上記のように、間仕切り用壁下地材であり、同図に示すように、リップ溝鋼に近い形状をしており、リップ部９１を備えている。換言すればスタッド９は断面コの字状であり、当該コの字の両先端にリップ部９１を備えたものである。
【００４３】
上記スタッド９の断面形状は長方形の一辺が欠けた形であると言えるが、上記スペーサ８がスタッド９に取り付けられることにより、上記欠けた一辺が部分的に補われることになり、スタッド９の剛性が高くなる。
【００４４】
（壁下地取り付け工具１による、スタッド９へのスペーサ８の取り付け方法）
以下では、壁下地取り付け工具１による、スタッド９へのスペーサ８の取り付け方法を、図５−８を用いて説明する。
【００４５】
まず、壁下地取り付け工具１にスペーサ８を装着する作業を行う。
【００４６】
図５は、壁下地取り付け工具１にスペーサ８を装着した状態を示す斜視図である。同図のように穴部８１ａに突起部７を嵌入させ、係合部５を被係合部８４に係合させる。このように装着することで、被押圧部８１は、２つの突起部７により位置決めされ、また磁石６との間に働く磁力により押圧部４上に保持される。よって、スペーサ８は壁下地取り付け工具１から外れにくくなる。また、このような装着方法とすることで、すでに係合部５を被係合部８４に係合させた状態となるので、後述のように、壁下地取り付け工具１およびスペーサ８をスタッド９にセットした後そのままの動作で、押圧動作に移ることが可能となる。
【００４７】
次に、スペーサ８を装着した壁下地取り付け工具１をスタッド９の内部に挿し入れる。
【００４８】
図６は、上記装着した壁下地取り付け工具１およびスペーサ８をスタッド９の内部に挿し入れた状態を示す斜視図である。また、図７（ａ）は、リップ部９１と切欠き部８２ａとがかみ合わされた状態を示す斜視図であり、（ｂ）は、その際の挿入部８３とリップ部９１の位置関係を示す図であり、（ｃ）は、挿入部８３がスタッド９の断面内部に挿入される際の両者の位置関係を示す図である。
【００４９】
図６に示すように、スペーサ８を装着した壁下地取り付け工具１を、スタッド９の開口面から内部へ斜めに挿し入れ、切欠き部８２ａとリップ部９１との位置を合わせる。この状態からスペーサ８を装着した壁下地取り付け工具１を回転させて図７（ａ）のように切欠き部８２ａとリップ部９１とをかみ合わせ、さらに図７（ａ）の矢印の方向に取っ手３を動かすことで、図７（ｂ）の状態から挿入部８３がリップ部９１に押し当たって図７（ｃ）の状態へと移行する。
【００５０】
図８（ａ）は、スペーサ８がスタッド９に取り付けられられた状態を示す斜視図であり、（ｂ）はスペーサ８がスタッド９に取り付けられられた状態における、挿入部８３とリップ部９１との位置関係を示す図である。
【００５１】
図７（ｃ）に示す状態から取っ手３をさらに押し下げると、押圧部４が被押圧部８１を押圧することにより、挿入部８３はリップ部９１を両側に押し広げながら下降し、最後に、図８（ｂ）に示すように、リップ部９１が切欠き部８２ｂにはまり込む。図８（ａ）はこの状態を示す斜視図であるが、壁下地取り付け工具１を磁石６の磁力に抗して、取っ手３を押し上げつつ前に押すことで、穴部８１ａから突起部７を、被係合部８４から係合部５を外し、壁下地取り付け工具１からスペーサ８を取り外すことができる。以上で、スペーサ８の取り付けは完了する。
【００５２】
ここで、図７（ｃ）において、リップ部９１を押し広げながら挿入部８３が下降する際には、スタッド９の弾性力に逆らってリップ部９１を押し広げるため、大きな力が必要になる。しかし壁下地取り付け工具１は、取っ手３と、押圧部４と、係合部５とを、それぞれ力点と、作用点と、支点とする梃子となり、更に、上記３点は上記の順番で並ぶ。よって、取っ手３に力を加えた場合、より大きな力で押圧部４が被押圧部８１を押圧するので、取っ手３に加える力はより小さい力で済む。
【００５３】
〔実施の形態２〕
本発明の他の実施形態について図９および１０に基づいて説明すれば、以下のとおりである。なお、実施の形態１と同様の部材に関しては、同じ符号を付し、その説明を省略する。
【００５４】
図９は本発明の別の形態に係る壁下地取り付け工具２１の主要部を示す上面図であり、図１０は本発明の別の形態に係るスペーサ２８の構成を示す上面図である。
【００５５】
図９に示すように、壁下地取り付け工具２１は、押圧部２４が、突起部７を中央部に１つだけ備えた押圧面２４ａを有する点において、第１の実施形態に係る壁下地取り付け工具１とは異なる。また、図１０に示すように、スペーサ２８は、中央部に穴部８１ａを備えた被押圧部２８１を有する点において、第１の実施形態に係るスペーサ８とは異なる。
【００５６】
スペーサ２８を壁下地取り付け工具２１に装着し、さらにスタッド９に取り付ける手順については、第１の実施形態において説明した手順と同様であるので、ここでは省略する。
【００５７】
〔実施の形態３〕
本発明のさらに他の実施形態について図１１および１２に基づいて説明すれば、以下のとおりである。なお、実施の形態１と同様の部材に関しては、同じ符号を付し、その説明を省略する。
【００５８】
図１１は本発明のさらに別の形態に係る壁下地取り付け工具４１の主要部を示す上面図であり、図１２は本発明のさらに別の形態に係るスペーサ４８の構成を示す上面図である。
【００５９】
図１１に示すように、壁下地取り付け工具４１は、押圧部４４が、突起部７を備えていない押圧面４４ａを有する点において、第１の実施形態に係る壁下地取り付け工具１とは異なる。また、図１２に示すように、スペーサ４８は、中央部に穴部８１ａが形成されていない被押圧部４８１を有する点において、第１の実施形態に係るスペーサ８とは異なる。
【００６０】
スペーサ４８を壁下地取り付け工具４１に装着し、さらにスタッド９に取り付ける手順については、穴部に突起部を嵌入させる作業が不要となる以外は、第１の実施形態において説明した手順と同様であるので、ここでは省略する。
【産業上の利用可能性】
【００６１】
本発明は、建築物内部に間仕切り壁を設置する作業に利用することができる。
【符号の説明】
【００６２】
１      壁下地取り付け工具
２１    壁下地取り付け工具
４１    壁下地取り付け工具
２      シャフト
３      取っ手
４      押圧部
２４    押圧部
４４    押圧部
４ａ    押圧面
２４ａ  押圧面
４４ａ  押圧面
５      係合部
５ａ    溝
６      磁石
６ａ    凹部
７      突起部
８      スペーサ
２８    スペーサ
４８    スペーサ
９      スタッド
８１    被押圧部
２８１  被押圧部
４８１  被押圧部
８１ａ  穴部
８４    被係合部
９１    リップ部
【図１】
2011089263.tif 000003
【図２】
2011089263.tif 000004
【図３】
2011089263.tif 000005
【図４】
2011089263.tif 000006
【図５】
2011089263.tif 000007
【図６】
2011089263.tif 000008
【図７】
2011089263.tif 000009
【図８】
2011089263.tif 000010
【図９】
2011089263.tif 000011
【図１０】
2011089263.tif 000012
【図１１】
2011089263.tif 000013
【図１２】
2011089263.tif 000014